【手続補正書】
【提出日】平成27年4月9日(2015.4.9)
【手続補正１】
【補正対象書類名】特許請求の範囲
【補正対象項目名】請求項１
【補正方法】変更
【補正の内容】
【請求項１】
水のろ過処理を行う膜モジュールと、
前記膜モジュールが収容される圧力容器と、
前記膜モジュールにおいてろ過処理されて得られた透過水を排出する透過水用配管と、
前記膜モジュールを収容した前記圧力容器が複数備えられ、前記複数の圧力容器のそれぞれに収容された前記膜モジュールにろ過処理される供給水が供給されるように、前記圧力容器を並列に接続する供給水用配管と、
前記透過水用配管に設けられ、前記圧力容器に供給された供給水のうち、ろ過処理が行われずに排出された供給水残部のイオン濃度に基づいて、前記透過水用配管を通流する透過水の流量を制御する流量調整手段と、を備えることを特徴とする、水処理システム。
【手続補正２】
【補正対象書類名】特許請求の範囲
【補正対象項目名】請求項４
【補正方法】変更
【補正の内容】
【請求項４】
前記第一測定手段及び前記第二測定手段によりイオン濃度を測定し、測定されたイオン濃度に基づいて、前記流量調整手段を制御する演算制御部を備えることを特徴とする、請求項２に記載の水処理システム。
【手続補正３】
【補正対象書類名】明細書
【補正対象項目名】００２９
【補正方法】変更
【補正の内容】
【００２９】
前処理部１Ｂ（図１参照）において処理された海水は、供給水ｗ１として、供給水用配管２９を通流し、逆浸透ユニットＵ１の圧力容器２１ａに供給される。そして、供給された供給水ｗ１のうちの一部（供給水ｗ１ａ）は、圧力容器２１ａ内を通流して、透過水（淡水）ｗ２ａと濃縮水（供給水残部；即ち、膜処理されずに残った供給水であり、濃縮されたイオンを含む水）ｗ３ａとに分離される。また、供給水ｗ１のうちの残部は、供給水用サイドポート配管２０（供給水用配管）を通流して、圧力容器２１ｂ，２１ｃに供給され、それぞれの圧力容器２１ｂ，２１ｃにおいても、透過水ｗ２ｂ，ｗ２ｃと濃縮水ｗ３ｂ，ｗ３ｃとに分離される。
【手続補正４】
【補正対象書類名】明細書
【補正対象項目名】００３０
【補正方法】変更
【補正の内容】
【００３０】
即ち、これらのことをまとめると、供給水用サイドポート配管２０及び供給水用配管２９は、逆浸透膜モジュール２２を収容した圧力容器２１が複数備えられ、複数の圧力容器２１のそれぞれに収容された逆浸透膜モジュール２２にろ過処理される供給水が供給されるように、圧力容器２１を並列に接続するものである。
【手続補正５】
【補正対象書類名】明細書
【補正対象項目名】００３２
【補正方法】変更
【補正の内容】
【００３２】
圧力容器２１ａには、水のろ過処理を行う略円筒形状の逆浸透膜モジュール２２ａ（２２）（膜モジュール）と、逆浸透膜モジュール２２ａ内に形成される集水管２３ａ（２３）（透過水用配管）とが収容されて備えられている。圧力容器２１ａに供給された供給水ｗ１は、はじめに、逆浸透膜モジュール２２ａに供される。そして、逆浸透膜モジュール２２ａにおいて、供給水ｗ１ａとしての海水が膜処理されて脱塩され、得られた透過水ｗ２ａとしての淡水は、集水管２３ａを通流して、圧力容器２１ｂ，２１ｃから排出された透過水ｗ２ｂ，ｗ２ｃとともに透過水用配管２４に合流され、外部に透過水ｗ２として排出されるようになっている。即ち、集水管２３と透過水用配管２４とは、逆浸透膜モジュール２２ａにおいてろ過処理されて得られた透過水を排出するものである。
【手続補正６】
【補正対象書類名】明細書
【補正対象項目名】００３７
【補正方法】変更
【補正の内容】
【００３７】
さらには、集水管２３ａの下流であって透過水用配管２４に合流する前の位置には、集水管２３ａを通流する透過水の流量を制御する流量調整バルブ２５ａ（２５）（流量調整手段）が備えられている。また、集水管２３ｂの下流側には流量調整バルブ２５ｂ（２５）（流量調整手段）が、集水管２３ｃの下流側には流量調整バルブ２５ｃ（２５）（流量調整手段）が備えられている。これらの流量調整バルブ２５は、導電率センサ２６ａ，２６ｂにより測定される導電率（即ちイオン濃度）に応じて制御される。具体的な制御方法は、＜作用＞において後記する。
【手続補正７】
【補正対象書類名】明細書
【補正対象項目名】００５２
【補正方法】変更
【補正の内容】
【００５２】
各圧力容器２１に供給される供給水ｗ１ａ，ｗ１ｂ，ｗ１ｃは、それぞれ、供給水ｗ１の一部であるから、そのイオン濃度は等しい。従って、各圧力容器２１ａ，２１ｂ，２１ｃから排出される濃縮水ｗ３ａ，ｗ３ｂ，ｗ３ｃのイオン濃度が等しいとき、各圧力容器２１ａ，２１ｂ，２１ｃでの回収率が同程度になることになる。ここで、濃縮水ｗ３ａ，ｗ３ｂ，ｗ３ｃは、合流して濃縮水ｗ３として外部に排出される。従って、濃縮水ｗ３ａ，ｗ３ｂ，ｗ３ｃのイオン濃度が等しければ、外部に排出される濃縮水ｗ３のイオン濃度もこれらと等しくなる。即ち、各圧力容器２１の回収率が同程度になるのは、外部に排出される濃縮水ｗ３のイオン濃度と、例えば濃縮水ｗ３ａのイオン濃度とが等しいときである。
【手続補正８】
【補正対象書類名】明細書
【補正対象項目名】００６０
【補正方法】変更
【補正の内容】
【００６０】
図３（ａ）の黒塗りの記号に示すように、透過水流量調整前は、前記のように、供給水用サイドポート配管２０における圧力損失等により、各圧力容器２１ａ，２１ｂ，２１ｃにおける供給水ｗ１ａ，ｗ１ｂ，ｗ１ｃの流量は同程度にならず、バラツキが生じている（図３（ａ）の■参照）。同様に、各圧力容器２１ａ，２１ｂ，２１ｃにおける濃縮水ｗ３ａ，ｗ３ｂ，ｗ３ｃの流量も同程度にはならず、バラツキが生じている（図３（ａ）の▲参照）。ただし、前記のように、透過水流量を特に調整しなければ、各圧力容器２１ａ，２１ｂ，２１ｃにおける透過水ｗ２ａ，ｗ２ｂ，ｗ２ｃの流量は同程度になる（図３（ａ）の◆参照）。
【手続補正９】
【補正対象書類名】明細書
【補正対象項目名】００６３
【補正方法】変更
【補正の内容】
【００６３】
このように、圧力容器２１ａからの濃縮水ｗ３ａの導電率と、逆浸透ユニットＵ１から排出される濃縮水ｗ３の導電率とが同程度になるように透過水流量を制御することで、回収率を各圧力容器２１ａ，２１ｂ，２１ｃにおいて同程度とすることができる。これにより、主に供給水用サイドポート配管２０に起因する各圧力容器２１ａ，２１ｂ，２１ｃでの回収率のバラツキを補正することができる。
【手続補正１０】
【補正対象書類名】明細書
【補正対象項目名】００６７
【補正方法】変更
【補正の内容】
【００６７】
例えば、本実施形態に係る水処理システムとしての海水淡水化プラントＰに備えられる逆浸透ユニットは、図２に示す構造に限られず、例えば図４に示すような逆浸透ユニットＵ２であってもよい。
【手続補正１１】
【補正対象書類名】明細書
【補正対象項目名】００７３
【補正方法】変更
【補正の内容】
【００７３】
図５（ａ）に示すように、逆浸透ユニットＵ３においては、３本の圧力容器２１が並列に接続されてなる圧力容器群３１ａ，３１ｂ，３１ｃ（３１）が備えられている。これらのうち、圧力容器群３１ａは、圧力容器２１ａ，２１ｂ，２１ｃにより構成され、圧力容器群３１ｂは、圧力容器２１ｄ，２１ｅ，２１ｆにより構成され、圧力容器群３１ｃは、圧力容器２１ｇ，２１ｈ，２１ｉにより構成されている。即ち、逆浸透ユニットＵ３においては、備えられる圧力容器２１のうち、複数の圧力容器２１が供給水用配管（本実施形態においては供給水用サイドポート配管２０）によって並列に接続されて圧力容器群３１ａ，３１ｂ，３１ｃを構成し、圧力容器群３１は複数（本実施形態では３つ）備えられている。
【手続補正１２】
【補正対象書類名】明細書
【補正対象項目名】００８４
【補正方法】変更
【補正の内容】
【００８４】
さらに、供給水用サイドポート配管２０及び濃縮水用サイドポート配管２８ａは、位置によらず同一の径でもよいし、配置される位置によって径が異なっていてもよい。全てのサイドポート配管の形状が同一の場合、部品管理の手間が少ないため施工時のコストが小さいという利点がある。さらに、サイドポート配管の径を小径に統一する場合、配管の物量コストが小さいという利点がある。
【手続補正１３】
【補正対象書類名】明細書
【補正対象項目名】００８５
【補正方法】変更
【補正の内容】
【００８５】
また、図示の例では、圧力容器２１の形態として、供給水ｗ１を圧力容器２１の側面側から供給するサイドポート型の圧力容器を例示したが、圧力容器の軸方向から供給するエンドポート型の圧力容器であってもよい。ただし、サイドポート型の圧力容器においては、前記のように、圧力容器２１同士を接続する供給水用サイドポート配管２０において圧力損失が大きくなり易いため、回収率によりバラツキが生じ易い。そのため、本実施形態の水処理システムには、サイドポート型の圧力容器が好適である。
【手続補正１４】
【補正対象書類名】明細書
【補正対象項目名】００９２
【補正方法】変更
【補正の内容】
【００９２】
２１，２１ａ，２１ｂ，２１ｃ  圧力容器
２０  供給水用サイドポート配管（供給水用配管）
２２，２２ａ，２２ｂ，２２ｃ  逆浸透膜モジュール（膜モジュール）
２３，２３ａ，２３ｂ，２３ｃ  集水管（透過水用配管）
２４  透過水用配管
２５，２５ａ，２５ｂ，２５ｃ  流量調整バルブ（流量調整手段）
２６，２６ａ，２６ｂ  導電率センサ（第一測定手段、第二測定手段、）
２７，２７ａ，２７ｂ  取水口（第一取水口、第二取水口）
２８ａ  濃縮水用サイドポート配管
２８ｂ  濃縮水用配管
２９，２９ａ，２９ｂ，２９ｃ  供給水用配管
３１，３１ａ，３１ｂ，３１ｃ  圧力容器群
３４  透過水用ヘッダ管（透過水用配管）
３２  供給水用ヘッダ管（供給水用配管）
５０  演算制御部
Ｐ  海水淡水化プラント
Ｕ１  逆浸透ユニット
Ｕ２  逆浸透ユニット
Ｕ３  逆浸透ユニット
ｗ１  供給水
ｗ２  透過水
ｗ３  濃縮水（供給水残部）
【手続補正１５】
【補正対象書類名】図面
【補正対象項目名】図１
【補正方法】変更
【補正の内容】
【図１】
2014172010.tif 000001
【手続補正１６】
【補正対象書類名】図面
【補正対象項目名】図２
【補正方法】変更
【補正の内容】
【図２】
2014172010.tif 000002
【手続補正１７】
【補正対象書類名】図面
【補正対象項目名】図４
【補正方法】変更
【補正の内容】
【図４】
2014172010.tif 000003
【手続補正１８】
【補正対象書類名】図面
【補正対象項目名】図５
【補正方法】変更
【補正の内容】
【図５】
2014172010.tif 000004